(57)【特許請求の範囲】
【請求項１】
薬剤を保持する矩形状のケース本体に該ケース本体の一縁より外方へ突出した突出部が設けられるとともに、該突出部より側方へ延出した延出片が前記ケース本体に沿って延在する薬剤容器であって、
前記延出片を、前記突出部より側方に延出して前記ケース本体の前記一縁に沿って延在する上腕部と、該上腕部より屈曲した後前記ケース本体の前記一縁と交差する他縁に沿って延在する側腕部とで構成し、
当該延出片を折曲する折曲部を前記上腕部に設定し該上腕部を前記折曲部で折曲した状態で前記側腕部が前記折曲部を中心に前記ケース本体から離反する方向へ移動して当該側腕部と前記ケース本体との間に壁面挿入空間を形成可能に構成するとともに、
前記延出片の前記側腕部を壁面の一方の面に配置しかつ前記ケース本体を前記壁面の他方の面に配置した状態で当該ケース本体を前記壁面に掛止可能に構成したことを特徴とする薬剤容器。
【請求項２】
前記突出部の一方側に延出する第一延出片と前記突出部の他方側に延出する第二延出片とで前記延出片を構成したことを特徴とする請求項１記載の薬剤容器。
【請求項３】
前記折曲部を、前記上腕部を横断する凹溝で構成し、該凹溝を前記延出片が折曲される折曲方向側の面に設定したことを特徴とする請求項１又は２記載の薬剤容器。
【発明の詳細な説明】
【技術分野】
【０００１】
本発明は、薬剤を収容した薬剤容器に関する。
【背景技術】
【０００２】
従来、冷蔵庫では脱臭剤が使用されている。
【０００３】
この従来型の脱臭剤としては、直方体形状に形成されており、棚面に載置して使用するように構成されている。
【０００４】
このタイプの脱臭剤は、棚面に設置スペースが必要となるため、庫内の利用効率が低下するという問題があった。
【０００５】
そこで、庫内の壁面に両面テープで貼着するタイプの脱臭容器が知られている（例えば、特許文献１）。
【０００６】
このタイプの脱臭容器では、両面テープを利用して壁面に貼着固定でき、棚面の有効利用を図れるが、交換時にテープの残渣が壁面に残り、壁面が汚れるという問題があった。また、この脱臭容器には、吊り下げ用孔が設けられているが、庫内にフック等が無ければ使用できない。
【０００７】
これを解消するために、容器本体にフックが設けられた芳香剤容器が知られている（例えば、特許文献１）。この芳香剤容器は、サンバイザー取付用フックを備えており、該サンバイザー取付用フックは、容器本体から大きく湾曲した後直線状に延出した押圧片部で構成されている。
【０００８】
これにより、ある程度厚みのある部位であっても、前記湾曲部が形成する幅寸法以内であれば、当該芳香剤容器を固定できるように構成されている。
【０００９】
【特許文献１】登録実用新案第３０２１７５７号公報
【特許文献２】特開２００６−２７１８１１号公報
【発明の概要】
【発明が解決しようとする課題】
【００１０】
しかしながら、このような芳香剤容器のサンバイザー取付用フックでは、湾曲部によって所定の厚み寸法を有してしまう。
【００１１】
このため、ドアポケットの薄肉の壁面に掛け止めする場合であっても、前記湾曲部の厚み寸法を必要とするため、ドアポケット内部のスペースが利用できなくなるという新たな問題が発生してしまう。
【００１２】
本発明は、このような従来の課題に鑑みてなされたものであり、掛け止め可能としつつ掛け止め時の使用スペースを抑えることができる薬剤容器を提供することを目的とするものである。
【課題を解決するための手段】
【００１３】
前記課題を解決するために本発明の請求項１の薬剤容器にあっては、薬剤を保持する矩形状のケース本体に該ケース本体の一縁より外方へ突出した突出部が設けられるとともに、該突出部より側方へ延出した延出片が前記ケース本体に沿って延在する薬剤容器であって、
前記延出片を、前記突出部より側方に延出して前記ケース本体の前記一縁に沿って延在する上腕部と、該上腕部より屈曲した後前記ケース本体の前記一縁と交差する他縁に沿って延在する側腕部とで構成し、該延出片を折曲する折曲部を前記上腕部に設定し該上腕部を前記折曲部で折曲した状態で前記側腕部が前記折曲部を中心に前記ケース本体から離反する方向へ移動して当該側腕部と前記ケース本体との間に壁面挿入空間を形成可能に構成するとともに、前記延出片の前記側腕部を壁面の一方の面に配置しかつ前記ケース本体を前記壁面の他方の面に配置した状態で当該ケース本体を前記壁面に掛止可能に構成した。
【００１４】
すなわち、この薬剤容器を使用する際には、ケース本体に沿って延在する延出片を折曲部で折曲し、前記延出片の側腕部と前記ケース本体との間に壁面挿入空間を形成する。
【００１５】
この状態において、例えばドアポケットの壁面を前記壁面挿入空間に挿入する。これにより、前記ケース本体を前記壁面の表面側に沿って配置するとともに、前記延出片の側腕部を壁面の例えば裏側に配置した状態で当該ケース本体は前記壁面に掛止され、吊り下げられた状態で位置決めされる。
【００１６】
このとき、薬剤を保持した前記ケース本体は、ドアポケットの前記壁面の外側に配置される。
【００１７】
また、請求項２の薬剤容器においては、前記突出部の一方側に延出する第一延出片と前記突出部の他方側に延出する第二延出片とで前記延出片を構成した。
【００１８】
すなわち、前記ケース本体に設けられた突出部からは、離反方向に延出する第一及び第二延出片が設けられており、これらによって前記延出片が構成されている。
【００１９】
このため、前記両延出片を、例えばドアポケットの壁面裏側に配置した状態では、前記壁面の表側に配置されたケース本体は、その一方側に延出した前記第一延出片によって一方側が掛止されるとともに、他方側に延出した第二延出片によって他方側が掛止される。
【００２０】
さらに、請求項３の薬剤容器では、前記折曲部を、前記上腕部を横断する凹溝で構成し、該凹溝を前記延出片が折曲される折曲方向側の面に設定した。
【００２１】
これにより、前記延出片の前記折り曲げ方向への折り曲げが前記折曲部を構成する凹溝によって容易に行われる。
【００２２】
そして、該凹溝が逆側面に形成された場合と比較して、前記延出片の不用意な折れを防止しつつ、弾性変形による反力が得られる。
【発明の効果】
【００２３】
以上説明したように本発明の請求項１の薬剤容器にあっては、ケース本体に沿って延在する延出片を折曲部で折曲し、前記延出片の側腕部と前記ケース本体との間に壁面挿入空間を形成するとともに、この壁面挿入空間に、例えばドアポケットの壁面を挿入することで、前記壁面の例えば表面側に沿って配置された前記ケース本体を、前記壁面の裏側にその一部が配置された前記延出片によって前記壁面に掛け止めして吊り下げた状態でセットすることができる。
【００２４】
このため、ケース本体を両面テープで壁面に貼着して固定するタイプと比較して、使用後の壁面の汚れを防止することができる。
【００２５】
また、掛止する壁面の厚み寸法に合わせて前記延出片の折曲角度を調整することで、当該延出片の前記壁面裏側への突出量を抑えることができる。
【００２６】
このため、ケース本体に大きく湾曲した湾曲部を介して設けられた直線状の押圧片部を、例えばドアポケットの壁面に係止する場合と比較して、ドアポケット内側への押圧片部の突出量を抑えることができる。
【００２７】
したがって、前記ケース本体への掛け止めを可能としつつ、掛け止め時の使用スペースを抑えることができる。
【００２８】
また、請求項２の薬剤容器においては、前記ケース本体に設けられた突出部からは、離反方向に延出する第一及び第二延出片が設けられており、例えばドアポケットの壁面裏側にセットした状態において、該壁面の表側に配置されたケース本体の一方側を、その一方側に延出した前記第一延出片によって掛止できるとともに、当該ケース本体の他方側を他方側に延出した第二延出片によって掛止できる。
【００２９】
これにより、前記ケース本体を両側から支持することができ、当該ケース本体の不用意な傾きを防止することができる。
【００３０】
さらに、請求項３の薬剤容器では、前記延出片の前記折曲部を、当該延出片の上腕部を横断する凹溝で構成し、該凹溝を前記延出片が折曲される折曲方向側の面に設定したので、前記延出片の前記折り曲げ方向への折り曲げを容易に行うことができる。
【００３１】
このとき、前記凹溝が逆側面に形成された場合と比較して、前記延出片の不用意な折れを防止でき、耐久性の向上を図ることができる。また、前記凹溝で構成された前記折曲部の弾性変形による反力を前記延出片に付与することもできる。
【図面の簡単な説明】
【００３２】
【図１】本発明の一実施の形態を示す図で、（ａ）は正面図であり、（ｂ）は一部断面図である。
【図２】同一実施の形態を示す図で、（ａ）は上面を示す図であり、（ｂ）は背面図である。
【図３】同一実施の形態を示す図で、（ａ）は要部を示す断面図であり、（ｂ）は側面図である。
【図４】同一実施の形態のカートリッジを示す図で、（ａ）は正面図であり、（ｂ）は下面を示す図である。
【発明を実施するための形態】
【００３３】
以下、本発明の一実施の形態を図に従って説明する。
【００３４】
図１は、本実施の形態にかかる薬剤容器１を示す図であり、該薬剤容器１は、冷蔵庫で使用され、脱臭機能や消臭機能を備えている。
【００３５】
この薬剤容器１は、図１から図３に示した薬剤容器本体１１と、図４に示したように、該薬剤容器本体１１に交換可能にセットされるカートリッジ１２とによって構成されている。
【００３６】
前記薬剤容器本体１１は、プラスチック製であり、インジェクション成型されている。この薬剤容器本体１１は、図１の（ａ）に示したように、そのケース本体２１が横長の長方形状に形成されており、図１の（ｂ）にも示したように、後方Ｒへ向けて開口した容器状に形成されている。
【００３７】
前記ケース本体２１は、前面を構成する長方形状の前壁面３１と、該前壁面３１の周縁に起立した周壁３２とによって形成されている。該周壁３２は、前記前壁面３１の上縁に起立した上壁３３と、前記前壁面３１の下縁に起立した下壁３４と、前記前壁面３１の左縁に起立して前記上壁３３及び前記下壁３４を連設する左側壁３５と、前記前壁面３１の右縁に起立して前記上壁３３及び前記下壁３４を連設する右側壁３６とによって構成されている。
【００３８】
前記前壁面３１には、複数の円形穴が等間隔をおいて縦横に配置されており、この円形穴には、当該前壁面３１を貫通した貫通穴４１，・・・と、凹部で形成されたダミー穴４２，・・・とで構成されている。また、図３（ｂ）に示したように、前記右側壁３６の中央部には、矩形状の右切欠部４３が形成されており、図３の（ａ）に示したように、前記左側壁３５の中央部には、矩形状の左切欠部４４が形成されている。
【００３９】
これにより、前記カートリッジ１２に収容された薬剤と外部との通流経路が前記各貫通穴４１，・・・及び前記各切欠部４３，４４によって確保されている。
【００４０】
前記上壁３３には、図１及び図２に示したように、上開口部５１，５１が二箇所に設けられており、両上開口部５１，５１間には、内側へ突出した上押さえリブ５２，５２ａ，５２が三箇所に形成されている。中央に設けられた上押さえリブ５２ａの基端側には、上切欠穴５１ａが形成されており、前記上押さえリブ５２ａと前記前壁面３１との間には、間隙が形成されている。
【００４１】
同様に、前記下壁３４にも、下開口部５３，５３が、前記上壁３３の前記上開口部５１，５１と対向する位置に設けられており、両下開口部３，５３間にも、内側に突出した下押さえリブ５４，５４ａ，５４が三箇所に形成されている。中央に設けられた下押さえリブ５４ａの基端側には、下切欠穴５３ａが形成されており、前記下押さえリブ５４ａと前記前壁面３１との間には、間隙が形成されている。
【００４２】
また、前記右側壁３６には、図２の（ｂ）に示したように、内側に突出した右押さえリブ６１，６１が二箇所に形成されており、前記左側壁３５にも、図２の（ｂ）及び図３の（ａ）に示したように、内側に突出した左押さえリブ６２，６２が二箇所に形成されている。
【００４３】
これにより、当該ケース本体２１にセットされた前記カートリッジ１２を、前記各リブ５２，５２，５４，５４，６１，６１，６２，６２によって、その周囲から挟持して固定するとともに、中央に設けられた各リブ５２ａ，５４ａ先端と前記前壁面３１との間に前記カートリッジ１２の後述する周縁フランジ２０２を挟持した状態で保持できるように構成されている。
【００４４】
前記上壁３３の上縁には、図１及び図２に示したように、直交して上方へ向けて延出した突出部７１が中央部に一体形成されている。該突出部７１は横長に形成されており、図２の（ａ）に示したように、該突出部７１には、前記前壁面３１側へ向けて膨出形成された凸ビード７２，・・・が三箇所に形成されている。各凸ビード７２，・・・の端部は、前記上壁３３に連設されており、該上壁３３に対する当該突出部７１の不用意な折曲が防止できるように構成されている。
【００４５】
前記突出部７１の両端部には、図１及び図２に示したように、当該突出部７１の一般部８１より幅広の幅広部８２，８２が形成されており、各幅広部８２，８２は、両側に配置された凸ビード７２，７２より側方に形成されている。
【００４６】
左方に配置された前記幅広部８２の左端部からは、第一延出片９１が延出しており、右方に配置された前記幅広部８２の右端部からは、第二延出片９２が延出している。
【００４７】
これにより、前記ケース本体２１の縁部に設けられた前記突出部７１には、前記各延出片９１，９２の基端部が連設されており、両延出片９１，９２によって本発明の延出片が構成されている。
【００４８】
前記第一延出片９１は、図１の（ａ）に示したように、前記上壁３３に沿って延在する左上腕部１０１と、該左上腕部１０１より下方へ向けて屈曲した後、前記左側壁３５に沿って延在する左側腕部１０２とによって構成されている。前記左上腕部１０１と前記上壁３３間及び前記左側腕部１０２と前記左側壁３５間には、間隙１０３が形成されている。
【００４９】
この第一延出片９１は、図２の（ｂ）に示したように、周縁部に周縁フランジ１１１が一体形成されており、その中央部には、中央フランジ１１２が一体形成されている。該中央フランジ１１２の中途部には、円形フランジ１１３，・・・が三箇所に形成されており、当該中央フランジ１１２の両端は、前記周縁フランジ１１１に連設されている。これにより、当該第一延出片９１は、前記各フランジ１１１，１１２，１１３，・・・によって補強されている。
【００５０】
この第一延出片９１の前記左上腕部１０１には、前記当該第一延出片９１を折曲する為の左折曲部１２１が基端側に設定されている。該左折曲部１２１は、当該第一延出片９１を横断する断面円弧状の左凹溝１２２で構成されており、該左凹溝１２２は、当該第一延出片９１が折曲される折曲方向１２３側の折曲側面１２４に凹設されている。
【００５１】
これにより、図２の（ａ）に示したように、前記左凹溝１２２で構成された前記左折曲部１２１において、当該第一延出片９１を折曲した状態では、該第一延出片９１と前記ケース本体２１との間に壁面挿入空間１３１を形成できるように構成されており、前記第一延出片９１を、例えば冷蔵庫のドア内側に設けられたドアポケット１３２の壁面１３３裏側に配置し、かつ前記ケース本体２１を前記壁面１３３の表面側に配置した状態で、当該ケース本体２１を前記第一延出片９１によって前記壁面１３３に掛け止めできるように構成されている。
【００５２】
前記第二延出片９２は、図１に示したように、前記上壁３３に沿って延在する右上腕部１４１と、該右上腕部１４１より下方へ向けて屈曲した後、前記右側壁３６に沿って延在する右側腕部１４２とによって構成されている。前記右上腕部１４１と前記上壁３３間及び前記右側腕部１４２と前記右側壁３６間には、間隙１４３が形成されている。
【００５３】
この第二延出片９２は、図２の（ｂ）にも示したように、周縁部に周縁フランジ１５１が一体形成されており、その中央部には、中央フランジ１５２が一体形成されている。該中央フランジ１５２の中途部には、円形フランジ１５３，・・・が三箇所に形成されており、当該中央フランジ１５２の両端は、前記周縁フランジ１５１に連設されている。これにより、当該第二延出片９２は、前記各フランジ１５１，１５２，１５３，・・・によって補強されている。
【００５４】
この第二延出片９２の前記右上腕部１４１には、図２に示したように、前記当該第二延出片９２を折曲する為の右折曲部１６１が基端側に設定されている。該右折曲部１６１は、当該第二延出片９２を横断する断面円弧状の右凹溝１６２で構成されており、該右凹溝１６２は、当該第二延出片９２が折曲される折曲方向１２３側の前記折曲側面１２４に凹設されている。
【００５５】
これにより、前記右凹溝１６２で構成された前記右折曲部１６１において、当該第二延出片９２を折曲した状態では、該第二延出片９２と前記ケース本体２１との間に壁面挿入空間１３１を形成できるように構成されており、前記第二延出片９２を、例えば冷蔵庫のドアポケット１３２における壁面１３３の裏側に配置し、かつ前記ケース本体２１の前記ケース本体２１を前記壁面１３３の表面側に配置した状態で、当該ケース本体２１を前記第二延出片９２によって前記壁面１３３に掛け止めできるように構成されている。
【００５６】
一方、前記カートリッジ１２は、図４に示したように、横長の長方形状に形成されており、前記ケース本体２１内に収容できる大きさに設定されている。該カートリッジ１２も容器状に形成されており、当該カートリッジ１２内には、ゲル状の脱臭消臭剤が充填されている。
【００５７】
このカートリッジ１２の周壁２０１の上縁には、側方へ延出した周縁フランジ２０２が一体形成されており、該周縁フランジ２０２には、当該カートリッジ１２の上面開口部２０３を閉鎖する図外のシートが剥離可能に貼着されるように構成されている。
【００５８】
これにより、当該カートリッジ１２を使用する際には、前記周縁フランジ２０２から前記シートを剥離することで、前記上面開口部２０３を開放できるように構成されており、この開放状態において、前記上面開口部２０３が前記ケース本体２１の前記前壁面３１と対向するように配置するとともに、当該カートリッジ１２を前記ケース本体２１内にセットすることで、薬剤を備えた前記カートリッジ１２を前記ケース本体２１内に交換可能に保持できるように構成されている。
【００５９】
以上の構成にかかる本実施の形態において、前記薬剤容器１を使用する際には、ケース本体２１の縁部に沿って延在する各延出片９１，９２を、基端側に設定された各折曲部１２１，１６１にて折曲して、前記各延出片９１，９２と前記ケース本体２１との間に壁面挿入空間１３１を形成する。
【００６０】
この状態において、例えばドアポケット１３２の壁面１３３を前記壁面挿入空間１３１に挿入する。これにより、前記ケース本体２１を前記壁面１３３の表面側に沿って配置するとともに、前記両延出片９１，９２を前記壁面１３３の裏側に配置した状態で、当該ケース本体２１を、前記壁面１３３に掛け止めし、吊り下げた状態でセットすることができる。
【００６１】
このため、ケース本体を両面テープで壁面に貼着して固定するタイプと比較して、使用後での庫内壁面の汚れを防止することができる。
【００６２】
また、掛止する壁面１３３の厚み寸法に合わせて前記各延出片９１，９２の折曲角度を調整することで、前記各延出片９１，９２の前記壁面１３３裏側への突出量を抑えることができる。
【００６３】
このため、ケース本体に大きく湾曲した湾曲部を介して設けられた直線状の押圧片部を、例えばドアポケットの壁面に係止する場合と比較して、ドアポケット内側への押圧片部の突出量を抑えることができる。
【００６４】
したがって、前記ケース本体２１への掛け止めを可能としつつ、掛け止め時の使用スペースを抑えることができる。
【００６５】
このとき、薬剤を有するカートリッジ１２を保持した前記ケース本体２１は、前記壁面１３３より冷蔵庫の内側に配置される。また、この内側を向く前記前壁面３１には、前記カートリッジ１２の上面開口部２０３に連通する貫通穴４１，・・・が設けられており、この上面開口部２０３との連通状態は、前記ケース本体２１側部の各切欠部４３，４４によっても確保されている。
【００６６】
このため、前記カートリッジ１２内の薬剤による効果を庫内に広げることができる。
【００６７】
また、前記ケース本体２１の縁部には、突出部７１が設けられており、該突出部７１からは、前記各延出片９１，９２が左右離反方向に延出している。
【００６８】
このため、前記両延出片９１，９２を、例えばドアポケット１３２の壁面１３３裏側に配置した状態では、該壁面１３３の表側に配置されたケース本体２１は、その左側に延出した前記第一延出片９１によって左側が掛止されるとともに、右側に延出した第二延出片９２によって右側が掛止される。
【００６９】
これにより、前記ケース本体２１を左右両側から支持することができ、当該ケース本体２１の不用意な傾きを防止することができる。
【００７０】
一方、前記各延出片９１，９２の前記各折曲部１２１，１６１を、当該延出片９１，９２を横断する各凹溝１２２，１６２で構成し、各凹溝１２２，１６２を前記各延出片９１，９２が折曲される折曲方向１２３側の折曲側面１２４に設定したので、前記各延出片９１，９２の前記折曲方向１２３への折り曲げを容易に行うことができる。
【００７１】
このとき、前記凹溝１２２，１６２が逆側面に形成された場合と比較して、前記各延出片９１，９２の不用意な折れを防止でき、耐久性の向上を図ることができる。また、前記各凹溝１２２，１６２で構成された前記各折曲部１２１，１６１の弾性変形による反力を、前記各延出片９１，９２が元の直線状態に戻ろうとする力として付与することもできる。
【符号の説明】
【００７２】
１    薬剤容器
２１    ケース本体
７１    突出部
９１    第一延出片
９２    第二延出片
１２１    左折曲部
１２２    左凹溝
１２３    折曲方向
１２４    折曲側面
１３１    壁面挿入空間
１３２    ドアポケット
１３３    壁面
１６１    右折曲部
１６２    右凹溝
【図１】
0005723703.tif 000002
【図２】
0005723703.tif 000003
【図３】
0005723703.tif 000004
【図４】
0005723703.tif 000005